【事件の表示】
　特願２０１３−５５８５７６「携帯端末」拒絶査定不服審判事件〔平成２５年　８月２２日国際公開、ＷＯ２０１３／１２１４５５、請求項の数（１）〕について、次のとおり審決する。
【結　論】
　原査定を取り消す。
　本願の発明は、特許すべきものとする。
【理　由】
第１　手続の経緯
　本願は、２０１２年２月１３日を国際出願日とする出願であって、平成２７年５月１２日付けで拒絶理由通知がされ、同年７月１３日付けで手続補正がされ、同年１２月１１日付けで拒絶査定（原査定）がされ、これに対し、平成２８年３月１５日に拒絶査定不服審判の請求がされ、同年１０月１８日付けで当審から拒絶理由通知がされ、同年１２月２２日付けで手続補正がされ、平成２９年２月９日付けで当審から最後の拒絶理由通知（以下、「当審拒絶理由通知」という。）がされ、同年４月１７日付けで手続補正がされたものである。
第２　原査定の概要
　原査定（平成２７年１２月１１日付け拒絶査定）の概要は次のとおりである。
　本願請求項１−２３に係る発明は、以下の引用文献Ａ−Ｈに基づいて、その発明の属する技術の分野における通常の知識を有する者（以下、「当業者」という。）が容易に発明できたものであるから、特許法第２９条第２項の規定により特許を受けることができない。
引用文献等一覧
Ａ．特開２００４−３１７５８３号公報
Ｂ．特開平０５−２３３９９５号公報
Ｃ．特開２００８−１１６８７４号公報
Ｄ．特開２００７−２４３９１９号公報
Ｅ．特開昭６３−２８３２７１号公報
Ｆ．特開２０１２−０１１２４５号公報
Ｇ．特開２０１１−０２８６１９号公報
Ｈ．特開２００２−０５５７７１号公報
第３　当審拒絶理由の概要
　当審拒絶理由（平成２９年２月９日付け最後の拒絶理由通知）の概要は次のとおりである。
　本願請求項１−３に係る発明は、以下の引用文献１−２に基づいて、その発明の属する技術の分野における通常の知識を有する者（以下、「当業者」という。）が容易に発明できたものであるから、特許法第２９条第２項の規定により特許を受けることができない。
引用文献等一覧
１．特開平０５−３００１４７号公報 
２．特開２０１０−２７１８５５号公報 
第４　本願発明
　本願請求項１に係る発明（以下、「本願発明１」という。）は、平成２９年４月１７日付けの手続補正で補正された特許請求の範囲の請求項１に記載された事項により特定される発明であり、本願発明１は以下のとおりの発明である。
「【請求項１】
　表示装置および他の携帯端末と通信可能な携帯端末であって、
　前記携帯端末は前記表示装置および前記他の携帯端末とともに会議記録システムを構成するものであり、
　表示部と、
　ユーザからの指示を受付けるタッチパネルと、
　前記表示装置と前記他の携帯端末のそれぞれとデータの送受信を行う送受信部と、
　保存部と、
　制御部と、
を有し、
　前記制御部は、前記タッチパネルへの線画入力に基づいて描画用線種データまたは消去用線種データを生成して前記送受信部が前記表示装置に送信するように制御し、該描画用線種データは図形を描画するためのデータであり、該消去用線種データは図形を消去するためのデータであり、該消去用線種データは前記表示装置において、前記表示装置が他の携帯端末から先に受信した描画用線種データに基づいて生成された図形の消去に用いられるデータであり、
　前記制御部は、前記送受信部を介して、描画用線種データまたは消去用線種データを前記表示装置から受信した場合に、受信した前記描画用線種データまたは前記消去用線種データに基づいて描画または消去を行って生成した表示画像を前記表示部に表示し、
　前記制御部は、
　前記携帯端末が、前記会議記録システムが対象とする会議に最初から参加している携帯端末の場合には、前記送受信部を介して前記表示装置から受信した描画用線種データまたは消去用線種データを前記会議の最初から逐次前記保存部に保存することにより、一連の前記描画用線種データおよび前記消去用線種データを前記会議の最初から時系列および前記会議の最初からの時間軸に対応付けられた時刻が把握できる形式で前記保存部に保存するように制御し、
　前記携帯端末が、前記会議記録システムが対象とする会議の途中から参加した携帯端末の場合には、前記携帯端末が前記会議に参加する時点より前の時点の描画用線種データまたは消去用線種データを、前記会議の最初からの時系列および前記会議の最初からの時間軸に対応付けられた時刻が把握できる形式で、前記送受信部を介して前記表示装置から取得して前記保存部に保存し、その後に前記送受信部を介して前記表示装置から受信した描画用線種データまたは消去用線種データを逐次前記保存部に保存することにより、一連の前記描画用線種データおよび前記消去用線種データを前記会議の最初から時系列および前記会議の最初からの時間軸に対応付けられた時刻が把握できる形式で前記保存部に保存するように制御し、
　前記表示部に表示する表示画像を前記会議の最初からの時間軸における過去の所望の時刻の表示状態へ変化させるためのユーザ指示をユーザが前記タッチパネルを介して入力することが可能となるように、前記表示部が前記会議の最初からの時間軸を示す表示を行い、前記タッチパネルが該時間軸上の任意の時刻を指定するユーザ指示を受け付けているときに、前記表示部に表示する表示画像を、過去の所望の時刻の表示状態へ変化させるためのユーザ指示であって、該所望の時刻を指定するユーザ指示が前記タッチパネルに入力された場合に、前記制御部は、前記ユーザ指示に応じて、前記保存部に保存された前記描画用線種データおよび前記消去用線種データを用いて、前記表示部に前記ユーザ指示の入力時点より過去であって前記会議の最初からの時系列のうち前記ユーザ指示により指定される時刻の時点の表示状態の表示画像を表示するように制御する
携帯端末。」
第５　引用文献、引用発明等
１．引用文献１について
（１）平成２９年２月９日付けの最後の拒絶の理由に引用された引用文献１には、図面とともに次の事項が記載されている。
（ａ）「【０００１】
【産業上の利用分野】
この発明は、会議やプレゼンテーションを電子化し、それらの運営の効率をさらに高めるための電子式会議支援システムに関する
（ｂ）「【０００５】
【発明が解決しようとする課題】しかしながら、従来は大型モニタ１を操作する端末装置（パーソナルコンピュータ）は１台のみであったために、大型モニタに自分の資料を表示したり、その場で意見等を入力、表示できる参加者は１時に１人に限られていた。このため、複数の参加者が同時に大型モニタに自分の意見を入力、表示することができなかった。従って、議論の時のように、複数の参加者が自分の意見を入力、表示することが必要とする場合には、会議支援システムが有効に機能しないという問題があった。
【０００６】この発明の目的は、
複数の端末と大型モニタとをローカルエリアネットワーク（ＬＡＮ）で結ぶことにより、複数の会議参加者が各自の端末を操作して同時にリアルタイムに大型モニタに入力表示できるようにし、効率よく会議を運営できる会議支援システムを提供することである
【０００７】この発明の第１のアスペクトによれば、情報処理システムは、各々が、入力装置、表示装置、および他の情報処理装置との間のデータ通信を行う通信装置とを備えた複数の情報処理装置と；前記複数の情報処理装置の各通信装置との間でデータ通信を行うデータ通信路と；
前記複数の情報処理装置のなかの任意の情報処理装置の入力装置で入力された情報を、リアルタイムにすべての情報処理装置に、前記データ通信路を介して伝送する手段と；前記伝送された情報を前記各情報処理装置の表示装置に表示する手段とで構成される
【０００８】この発明の第２のアスペクトによれば、情報処理システムは、各々が、入力装置、表示装置、および他の情報処理装置との間のデータ通信を行う通信装置とを備えた複数の情報処理装置と；表示装置、および他の情報処理装置との間のデータ通信を行う通信装置とを備えた情報表示装置と；前記複数の情報処理装置内の各通信装置、および前記情報表示装置内の通信装置との間のデータ通信を行うデータ通信路と；
前記複数の情報処理装置の中の任意の情報処理装置の入力装置で入力された情報をリアルタイムにすべての情報処理装置、および情報表示装置に前記データ通信路を介して伝送する手段と；前記伝送された情報をリアルタイムに各情報処理装置の表示装置、および情報表示装置の表示装置に表示する手段とで構成される
（ｃ）「【００１５】
【実施例】
図１はこの発明の会議支援システムの一実施例を示すブロック図である
大型モニタ２１は、各端末２７、２９、３１、３３、３５により共有され共通の表示データを表示する。モニタコントローラ２３は大型モニタ２１をコントロールして各種データを表示させる機能とともに、ｌｏｃａｌ  ａｒｅａｎｅｔｗｏｒｋ（ＬＡＮ）インターフェースを有して各端末とＬＡＮ回線２５で接続され、ＬＡＮに接続された各端末２７、２９、３１、３３、３５を制御する機能を有している
各端末２７、２９、３１、３３、３５は
座標を入力するペン３９と
を備えている
【００１６】
図２は各端末の内部構成を示すブロック図
【００１７】図２において、
表示装置４３は例えば液晶表示装置（ＬＣＤ）で構成されている。ＬＣＤ４３はＬＣＤコントローラ４５と接続されている。ＬＣＤコントローラ４５はビデオＲＡＭ（ＶＲＡＭ）４７ａ、４７ｂ、４７ｃにも接続され、ＶＲＡＭ４７ａ、４７ｂ、４７ｃのデータをＬＣＤ４３に表示するように制御する
。各ＶＲＡＭ４７ａ、４７ｂ、４７ｃはＬＣＤの各１ドットがその１ビットに対応するようなビットマップメモリ方式である。ＶＲＡＭ４７ａは個別の端末専用のイメージデータ（個別データ）を保持する。ＶＲＡＭ４７ｂは、大型モニタ２１に表示されているイメージデータ（共通データ）を保持する。ＶＲＡＭ４７ｃはあらかじめ用意された配布資料データを保持する
透明タブレット４９はペン３９の位置を検出する。透明タブレット４９の方式は例えば静電結合方式であり
【００１８】ユーザはペン３９によりタブレット４９上の位置を指定する。また、ペン３９はペン先とペン軸にスイッチをもち、そのオン／オフ情報をタブレットコントローラ５１に供給する。ペン先の外観とペン先スイッチの構造を図５および図６に示す。
【００１９】
ＣＰＵ５５はプログラムに従い端末全体を制御する
メインメモリ（ＲＡＭ）５７
イメージデータバッファ６１は各ＶＲＡＭ４７ａ、４７ｂ、４７ｃのデータを一時的に格納するためのＲＡＭである。イメージデータバッファ６１は各ＶＲＡＭ４７ａ、４７ｂ、４７ｃの３つ１組を１ページと見た場合、複数ページ分を保存できるだけの容量を有している
【００２０】
イーサネットインターフェース６３は、イーサネット回線に接続するためのＬＡＮインターフェースである
フロッピーディスクドライブ（ＦＤＤ）５３は各種データを書き込み／読みだしする補助記憶装置である
（ｄ）「【００２２】図３は図２に示すＬＣＤコントローラ４５の詳細ブロック図である。図３に示すように、ＬＣＤコントローラ４５は、ＡＮＤゲート６５、６７、６９、ＯＲゲート７１、および表示回路７３を有している。ＡＮＤゲート６５、６７、６９の各一方の入力端子にはそれぞれＶＲＡＭ４７ａ、４７ｂ、４７ｃからの表示データが供給され、他方の入力端子にはそれぞれＶＲＡＭのデータを表示するかしないかを選択する選択信号が供給される。すなわち、ＡＮＤゲート６５の入力端子“１”の選択信号が供給された場合には、ＶＲＡＭ４７ａのデータがＬＣＤ４３に表示される。同様に、ＡＮＤゲート６７の入力端子に“１”の選択信号が供給された場合には、ＶＲＡＭ４７ｂのデータ、ＡＮＤゲート６９の入力端子に“１”の選択信号が供給された場合には、ＶＲＡＭ４７ｃのデータがそれぞれＬＣＤ４３に表示される。各ＡＮＤゲート６５、６７、６９の出力はＯＲゲート７１に供給される。ＯＲゲート７１は、各ＡＮＤゲート６５、６７、６９からのデータのＯＲをとり、ＬＣＤ４３に出力する。従って、各ＡＮＤゲート６５、６７、６９にそれぞれ“１”の選択信号が供給された場合には、各ＶＲＡＭ４７ａ、４７ｂ、４７ｃの表示データの合成データがＬＣＤ４３に表示される。
【００２３】図４はモニタコントローラ３の内部構成を示すブロック図である。
【００２４】ＣＲＴコントローラ７５はビデオＲＡＭ（ＶＲＡＭ）７７ａ、７７ｂ、７７ｃに接続され、ＶＲＡＭ７７ａ、７７ｂ、７７ｃのデータをＣＲＴインターフェース７４を介してモニタ２１に表示するように制御する。ＣＲＴコントローラ７５は図３に示すＬＣＤコントローラと同様の内部構成を有する。ＣＲＴコントローラ７５はＶＲＡＭ７７ａ、７７ｂ、７７ｃのデータＤＡＴＡＩ、ＤＡＴＡＩＩ，およびＤＡＴＡＩＩＩのうち、任意のデータを選択してその選択したデータのＯＲのデータをモニタ２１に表示することができる。各ＶＲＡＭ７７ａ、７７ｂ、７７ｃはＣＲＴの各１ドットがその１ビットに対応するようなビットマップメモリ方式である。ＶＲＡＭ７７ａは個別の端末専用のイメージデータ（個別データ）を保持する。ＶＲＡＭ７７ｂは、大型モニタ２１に表示されているイメージデータ（共通データ）を保持する。ＶＲＡＭ７７ｃはあらかじめ用意された配布資料データを保持する。ＣＰＵ７９はプログラムに従いモニタコントローラ２３全体を制御する。ＲＡＭ８１は各種データおよびプログラムを格納し、ＣＰＵ７９によりアクセスされる。ＲＯＭ８３はＣＰＵ７９を制御するためのプログラムや各種データを格納する読みだし専用の不揮発性メモリである。イメージデータバッファ８５は各ＶＲＡＭ７７ａ、７７ｂ、７７ｃのデータを一時的に格納するためのＲＡＭである。イメージデータバッファ８５は各ＶＲＡＭ７７ａ、７７ｂ、７７ｃの３つ１組を１ページと見た場合、複数ページ分を保存できるだけの容量を有している。」（７頁１１−１２欄）
（ｅ）「【００３０】以下、上記会議の流れに従って、この発明の一実施例の動作を、図９乃至図１８を参照して説明する。
（１）資料の配布（会議の開始）
（ｉ）図１の端末２７を使用する会議参加者が端末を操作して図２のＦＤＤ５３からフロッピーディスクに用意してきた会議資料（イメージデータ）を図２のメインメモリ（ＲＡＭ）５７にロードする。
【００３１】　　・・・中略・・・
【００３２】　　・・・中略・・・
【００３３】　　・・・中略・・・
【００３４】　　・・・中略・・・
【００３５】　　・・・中略・・・
【００３６】上記説明では、端末２７から会議資料のデータをロードし、配布したが、他の端末２９、３１、３３、３５から会議資料データをロードし、配布する場合でも動作は同様である。また、あらかじめ用意された、配布すべき会議資料が無い場合には、上記（ｉ）のステップは必要無い。この場合、配布資料のＶＲＡＭ７７ｃ、４７ｃのデータはすべて“０”になる。
（２）会議中の動作
図９乃至図１７のフローチャートにおいて、ＤＩＳＰＬＡＹ  ＰＵＢＬＩＣフラッグは図２のメインメモリ５７中にあり、個別データのＶＲＡＭ４７ａがＬＣＤ４３に表示されているとき、“１”、表示されていないとき、“０”となる。ＤＩＳＰＬＡＹ  ＰＲＩＶＡＴＥフラッグは図２のメインメモリ５７中にあり、個別データのＶＲＡＭ４７ａがＬＣＤ４３に表示されているとき“１”、表示されていないとき“０”になる。入力モードフラッグは、図２のメインメモリ５７中にあり、タブレット、キーボードからの入力データが共通データであるときは、“１”（＝ＰＵＢＬＩＣ）、入力データが個別データであるときは、“０”（＝ＰＲＩＶＡＴＥ）になる。入力データバッファは図２のメインメモリ５７中にあり、タブレットやキーボードからの入力データを保存しておくバッファメモリである。
［１］表示画面の切り替え
＜１＞キーボードのＰＵＢＬＩＣ（ＤＩＳＰＬＡＹ）キー１０５が押されると（ステップ１２９）、すでに共通データが表示されていれば（ステップ１７５）共通データ用のＶＲＡＭ４７ｂをＬＣＤ４３に表示しないようにし、（ステップ１７９）、対応するＬＥＤ１１７をＯＦＦにする（ステップ１８１）。
【００３７】共通データが表示されていなければ、共通データ用のＶＲＡＭ４７ｂをＬＣＤ４３に表示するようにして（ステップ１８５）、対応するＬＥＤ１１７をＯＮにする。（ステップ１８７）
＜２＞キーボード１１上のＰＲＩＶＡＴＥ（ＤＩＳＰＬＡＹ）キー１０７が押された場合（ステップ１３１）、＜１＞と同様に、すでに個別データが表示されていれば（ステップ１８９）、個別データ用のＶＲＡＭ４７ａをＬＣＤ４３に表示しないようにし（ステップ１９３）、対応するＬＥＤ１１９をＯＦＦにする。（ステップ１９５）また、個別データが表示されていなければ、個別データ用のＶＲＡＭ４７ａの内容をＬＣＤ４３に表示するようにして、（ステップ１９９）対応するＬＥＤをオンにする。（ステップ２０１）
［２］入力モードの切り替え
＜１＞キーボード１１上のＰＵＢＬＩＣ（ＷＲＩＴＥ）キー１０９が押されると（ステップ１３３）、共通データ入力モードになり（ステップ２０３）、ＬＥＤ１２１を点灯する。（ステップ２０５）さらに、共通データをＬＣＤ４３に表示する（ステップ１８３ないし１８７）
＜２＞キーボード１１上のＰＲＩＶＡＴＥ（ＷＲＩＴＥ）キー１１１が押されると（ステップ１３５）、個別データ入力モードになり、（図１５のステップ２０７）ＬＥＤ１２３を点灯する。さらに個別データをＬＣＤ４３に表示する。（ステップ１９７−２０１）
［３］表示データの入力、表示
キーボード４１から文字が入力された場合（図９のステップ１２７）、あるいは
タブレット４９から座標データが入力された場合（図１０のステップ１４１）、
座標データはメインメモリ５７の入力データバッファに保存される。（ステップ１３７、１４７、１４９、１５１）（タブレットからの座標データは、そのときのペン先スイッチ９１およびペン軸スイッチ９３の状態によって、筆跡データ（ペン先スイッチオン）、消しゴムデータ（ペン軸スイッチオン）、カーソルデータ（ペン先スイッチ、ペン軸スイッチともにオフ）に分かれる
＜１＞共通データ入力の場合
入力モードフラッグ＝１（ＰＵＢＬＩＣ＝１）の場合（ステップ１５３）
ＲＡＭ５７の入力データバッファに保存されている入力データはＬＡＮインターフェース６３を通してモニタコントローラ２３に送信される（ステップ１６７）。この送信処理は例えば、図示しない公知のタイマを用いて１秒間に数回タイマ割り込み信号を発生させる。ＣＰＵ５５はこのタイマ割り込み信号に応答して割り込み処理ルーチンを実行することにより、リアルタイムに入力データバッファ内の入力データをモニタコントローラ２３に送信する
モニタコントローラ２３ではステップ１６７で端末が送信したデータを受信（図１８のステップ２１５）し、そのデータの内容に従って、共通データ表示用のＶＲＡＭ７７ｂの内容を更新する
表示データが座標データでかつ筆跡データの場合、その座標に相当するＬＣＤまたはＣＲＴ上のドットに対応するＶＲＡＭ７７ｂ上のビットを“１”にする
【００３８】
表示データが座標データかつ消しゴムデータの場合、ＬＣＤまたはＣＲＴ上におけるその座標を中心とする一定の大きさの正方形の領域の内部に対応するＶＲＡＭ上のビットをすべて“０”にする。
【００３９】
モニタコントローラ２３は受信した表示データを全端末に対して、ＬＡＮインターフェース８７を介して送信する。（ステップ２２３）
各端末ではステップ２２３で送信された表示データを受信し（ステップ１５９）、そのデータに基づいて、共通データ表示用のＶＲＡＭ４７ｂの内容を更新する
【００４０】　　・・・中略・・・
【００４１】　　・・・中略・・・
【００４２】各端末では、ＣＰＵ５５はステップ１５９で受信した配布資料データを配布資料表示用のＶＲＡＭ４７ｃに書き込み、さらに個別データ表示用のＶＲＡＭ４７ａ、共通データ表示用のＶＲＡＭ４７ｂを“０”でクリアする・
（３）会議の終了
会議が終了したら、各参加者は、図７に示すＥＮＤキー１１４を押す。ＥＮＤキー１１４の押下に応答してＣＰＵ５５はＶＲＡＭ４７の内容をイメージデータバッファ６１に書き込むとともに、イメージデータバッファ６１の内容（イメージデータ）をＦＤＤ５３によりＦＤ書き込む
（２）上記（ａ）、（ｂ）、（ｃ）の段落【００１５】、図１の記載によれば、引用文献１には、大型モニタ２１をコントロールして各種データを表示させるモニタコントローラ２３と複数の端末がＬＡＮ回線２５で接続され、リアルタイムで大型モニタ２１及び複数の端末に入力表示ができる会議支援システムにおける端末が、記載されている。
（３）上記（ｃ）、図２の記載によれば、端末は、座標を入力するペン３９と、液晶表示装置（ＬＣＤ４３）と、ＬＣＤ４３に接続されるＬＣＤコントローラ４５と、該ＬＣＤコントローラ４５に接続されるビデオＲＡＭ（ＶＲＡＭ）４７ａ、４７ｂ、４７ｃと、ペン３９の位置を検出する静電結合方式の透明タブレット４９と、ＣＰＵ５５と、メインメモリ５７と、イメージデータバッファ６１と、ＬＡＮ回線２５に接続するためのイーサネットインターフェース６３と、各種データを書き込み／読みだしする補助記憶装置であるフロッピーディスクドライブ（ＦＤＤ）５３と、を備えている。
（４）図２、図４、上記（ｃ）、（ｄ）の記載によれば、端末とモニタコントローラ２３は、端末がタブレットコントローラ５１を有している点を除いてほぼ同様な構成を有しており、上記（ｅ）の段落【００３９】に記載の「端末」での送信された表示データに基づく、共通データ表示用のＶＲＡＭ４７ｂの内容の更新は、段落【００３７】、【００３８】に記載される「モニタコントローラ２３」での共通データ表示用のＶＲＡＭ７７ｂの内容の更新と同様に行われるものと認められる。
　してみれば、引用文献１には、モニタコントローラ２３は受信した表示データを全端末に対して、ＬＡＮインターフェース８７を介して送信し、各端末では送信された表示データを受信し、そのデータに基づいて、共通データ表示用のＶＲＡＭ４７ｂの内容を、表示データが座標データでかつ筆跡データの場合、その座標に相当するＬＣＤ上のドットに対応するＶＲＡＭ４７ｂ上のビットを“１”にし、表示データが座標データかつ消しゴムデータの場合、ＬＣＤ上におけるその座標を中心とする一定の大きさの正方形の領域の内部に対応するＶＲＡＭ上のビットをすべて“０”に更新すること、が記載されているといえる。
　したがって、上記引用文献１には次の発明（以下、「引用発明」という。）が記載されていると認められる。
「大型モニタ２１をコントロールして各種データを表示させるモニタコントローラ２３と複数の端末がＬＡＮ回線２５で接続され、リアルタイムで大型モニタ２１及び複数の端末に入力表示ができる会議支援システムにおける端末であって、
　端末は、座標を入力するペン３９と、液晶表示装置（ＬＣＤ４３）と、ＬＣＤ４３に接続されるＬＣＤコントローラ４５と、該ＬＣＤコントローラ４５に接続されるビデオＲＡＭ（ＶＲＡＭ）４７ａ、４７ｂ、４７ｃと、ペン３９の位置を検出する静電結合方式の透明タブレット４９と、ＣＰＵ５５と、メインメモリ５７と、イメージデータバッファ６１と、ＬＡＮ回線２５に接続するためのイーサネットインターフェース６３と、各種データを書き込み／読みだしする補助記憶装置であるフロッピーディスクドライブ（ＦＤＤ）５３と、を備え、
　前記ＶＲＡＭ４７ａ、４７ｂ、４７ｃはＬＣＤ４３の各１ドットがその１ビットに対応するようなビットマップメモリ方式であり、前記ＶＲＡＭ４７ａは個別の端末専用のイメージデータ（個別データ）を保持し、前記ＶＲＡＭ４７ｂは、大型モニタ２１に表示されているイメージデータ（共通データ）を保持し、前記ＶＲＡＭ４７ｃはあらかじめ用意された配布資料データを保持するものであり、
　前記ＣＰＵ５５はプログラムに従い端末全体を制御するものであり、　
　前記イメージデータバッファ６１は各ＶＲＡＭ４７ａ、４７ｂ、４７ｃのデータを一時的に格納するためのＲＡＭであり、各ＶＲＡＭ４７ａ、４７ｂ、４７ｃの３つ１組を１ページと見た場合、複数ページ分を保存できるだけの容量を有するものであって、
　前記タブレット４９から座標データが入力された場合、座標データは前記メインメモリ５７の入力データバッファに保存され、タブレットからの座標データは、そのときのペン先スイッチ９１およびペン軸スイッチ９３の状態によって、筆跡データ（ペン先スイッチオン）、消しゴムデータ（ペン軸スイッチオン）、カーソルデータ（ペン先スイッチ、ペン軸スイッチともにオフ）に分かれ、
　タイマを用いて１秒間に数回タイマ割り込み信号を発生させ、前記ＣＰＵ５５はこのタイマ割り込み信号に応答して割り込み処理ルーチンを実行することにより、リアルタイムで前記ＲＡＭ５７の入力データバッファに保存されている表示データはＬＡＮインターフェース６３を通してモニタコントローラ２３に送信され、
　前記モニタコントローラ２３では、端末が送信した表示データを受信し、その表示データの内容に従って、共通データ表示用のＶＲＡＭ７７ｂの内容を、表示データが座標データでかつ筆跡データの場合、その座標に相当するＣＲＴ上のドットに対応するＶＲＡＭ７７ｂ上のビットを“１”にし、表示データが座標データかつ消しゴムデータの場合、ＣＲＴ上におけるその座標を中心とする一定の大きさの正方形の領域の内部に対応するＶＲＡＭ上のビットをすべて“０”に更新し、
　モニタコントローラ２３は受信した表示データを全端末に対して、ＬＡＮインターフェース８７を介して送信し、各端末では送信された表示データを受信し、そのデータに基づいて、共通データ表示用のＶＲＡＭ４７ｂの内容を、表示データが座標データでかつ筆跡データの場合、その座標に相当するＬＣＤ上のドットに対応するＶＲＡＭ４７ｂ上のビットを“１”にし、表示データが座標データかつ消しゴムデータの場合、ＬＣＤ上におけるその座標を中心とする一定の大きさの正方形の領域の内部に対応するＶＲＡＭ上のビットをすべて“０”に更新し、
　会議が終了したら、各参加者は、ＥＮＤキー１１４を押し、ＥＮＤキー１１４の押下に応答してＣＰＵ５５はＶＲＡＭ４７の内容をイメージデータバッファ６１に書き込むとともに、イメージデータバッファ６１の内容（イメージデータ）をＦＤＤ５３によりＦＤ書き込みする、
　端末。」
２．引用文献２について
　平成２９年２月９日付けの最後の拒絶の理由に引用された引用文献２には、図面とともに次の事項が記載されている。
（ａ）「【００３４】
　図４は、本発明の実施形態における描画システムのネットワーク構成の一例を示す図である。  
　図４に示した例では、複数の参加者のそれぞれが使用する描画処理装置１をクライアントと位置づけ、これらがネットワークでサーバ３０に接続される。
　各クライアントは、他のクライアントからの描画情報を受信した場合、この描画情報を当該描画情報の描画画面における描画対象領域の情報とともに描画情報格納部１７に格納することで、当該描画情報を自装置により描画した描画情報に反映させる。
【００３５】
　サーバ３０は、各クライアントからの描画情報を受け取って、他のクライアントに転送する。サーバ３０は、描画情報を転送するとともに、この情報を描画する全描画情報表示画面を有して、ディスプレイや前のスクリーンに投影する。図４に示した例では、サーバ３０は投影装置３１により全描画情報表示画面をスクリーン３２に投影する。」（８頁）
（ｂ）「【００４０】
　また、サーバ３０が投影する全描画情報表示画面や描画入力画面に、他のクライアントが開いている描画入力画面の位置、つまり描画領域を示す枠を表示したり、他者のペンまたはマウス位置、つまりマウスカーソル情報を表示したりしてもよい。
　また、描画情報以外にペンの位置を送ることで描画したものを指示し、それを他者に伝えることもできる。さらに、
これまでクライアント間で送りあった描画情報をサーバ３０で格納しておき、参加者が途中参加した場合にそれらの情報を送って途中参加可能とすることもできる
　なお、ここではサーバ３０を設けた例を挙げたが、サーバを設けずにクライアントだけで構成し、各クライアントがそれぞれ描画情報を送りあってもよい。」（９頁）
第６　本願発明１についての対比・判断
（１）対比
　本願発明１と引用発明とを対比すると、次のことがいえる。
（ａ）引用発明の「大型モニタ２１」及び「モニタコントローラ２３」は、本願発明１の「表示装置」に相当する。
　また、引用発明の「端末」は、「大型モニタ２１をコントロールして各種データを表示させるモニタコントローラ２３と複数の端末がＬＡＮ回線２５で接続され」通信可能な端末であって、携帯できるものを含んでいることは明らかであるから、引用発明の「端末」は、本願発明１の「表示装置および他の携帯端末と通信可能な携帯端末」に相当する。
　さらに、引用発明では「大型モニタ２１をコントロールして各種データを表示させるモニタコントローラ２３と複数の端末がＬＡＮ回線２５で接続され」「会議支援システム」を構成するものであるから、引用発明の「会議支援システム」は、本願発明１の「会議記録システム」に相当し、引用発明の「端末」は、本願発明１の「前記携帯端末は前記表示装置および前記他の携帯端末とともに会議記録システムを構成する」ものに含まれる。
（ｂ）引用発明の「液晶表示装置（ＬＣＤ４３）」、「ＣＰＵ５５」は、本願発明１の「表示部」、「制御部」に相当する。
　また、引用発明の「透明タブレット４９」は、「位置を検出する静電結合方式」のものであり、「ペン３９」でユーザが「座標を入力する」ものであるから、本願発明１の「ユーザからの指示を受付けるタッチパネル」に相当する。
　さらに、引用発明の「イーサネットインターフェース６３」は、「ＬＡＮ回線２５に接続するための」ものであるから、本願発明１の「前記表示装置と前記他の携帯端末のそれぞれとデータの送受信を行う送受信部」に相当する。
　そして、引用発明の「フロッピーディスクドライブ（ＦＤＤ）５３」は、「各種データを書き込み／読みだしする補助記憶装置」であるから、本願発明１の「保存部」に相当する。
（ｃ）引用発明の「筆跡データ」は、「その座標に相当するＬＣＤ上のドットに対応するＶＲＡＭ７７ｂ上のビットを“１”」とするものであるから、引用発明の「筆跡データ」は、本願発明１の「描画用線種データは図形を描画するためのデータ」に相当する。
　また、引用発明の「消しゴムデータ」は、「ＬＣＤ上におけるその座標を中心とする一定の大きさの正方形の領域の内部に対応するＶＲＡＭ上のビットをすべて“０”」とするものであって、さらに、引用発明では、「リアルタイム」で「表示データ」は「モニタコントローラ２３」に送信され、「モニタコントローラ２３は受信した表示データを全端末に対して、ＬＡＮインターフェース８７を介して送信し、各端末では送信された表示データを受信し、そのデータに基づいて、共通データ表示用のＶＲＡＭ４７ｂの内容を更新」するものであるから、引用発明の「消しゴムデータ」は、本願発明１の「消去用線種データは図形を消去するためのデータであり、該消去用線種データは前記表示装置において、前記表示装置が他の携帯端末から先に受信した描画用線種データに基づいて生成された図形の消去に用いられるデータ」に相当する。
　そして、引用発明では「前記タブレット４９から座標データが入力された場合、座標データは前記メインメモリ５７の入力データバッファに保存」されるものであり、ここで「座標データ」には「筆跡データ」と「消しゴムデータ」があり、また、引用発明の「ＣＰＵ５５」は「端末全体を制御するものであ」るから、引用発明の前記「保存」は「ＣＰＵ５５」によって行われるものと認められ、さらに、引用発明の「ＣＰＵ５５」は「タイマ割り込み信号に応答して割り込み処理ルーチンを実行することにより、リアルタイムで前記ＲＡＭ５７の入力データバッファに保存されている入力データはＬＡＮインターフェース６３を通してモニタコントローラ２３に送信」するものであるから、引用発明の「ＣＰＵ５５」による前記「保存」及び前記「送信」は、本願発明１の「前記制御部は、前記タッチパネルへの線画入力に基づいて描画用線種データまたは消去用線種データを生成して前記送受信部が前記表示装置に送信するように制御し」に相当する。
（ｄ）引用発明では「モニタコントローラ２３は受信した表示データを全端末に対して、ＬＡＮインターフェース８７を介して送信し、各端末では送信された表示データを受信し、そのデータに基づいて、共通データ表示用のＶＲＡＭ４７ｂの内容を更新し、表示データが座標データでかつ筆跡データの場合、その座標に相当するＬＣＤ上のドットに対応するＶＲＡＭ４７ｂ上のビットを“１”にし、表示データが座標データかつ消しゴムデータの場合、ＬＣＤ上におけるその座標を中心とする一定の大きさの正方形の領域の内部に対応するＶＲＡＭ上のビットをすべて“０”に更新する」ものであり、また、引用発明の「ＣＰＵ５５」は「端末全体を制御するものであ」るから、引用発明の前記「更新」は「ＣＰＵ５５」によって行われるものと認められることから、引用発明の「ＣＰＵ５５」による前記「更新」は、本願発明１の「前記制御部は、前記送受信部を介して、描画用線種データまたは消去用線種データを前記表示装置から受信した場合に、受信した前記描画用線種データまたは前記消去用線種データに基づいて描画または消去を行って生成した表示画像を前記表示部に表示」することに相当する。
　したがって、本願発明１と引用発明との間には、次の一致点、相違点があるといえる。
（一致点）
「表示装置および他の携帯端末と通信可能な携帯端末であって、
　前記携帯端末は前記表示装置および前記他の携帯端末とともに会議記録システムを構成するものであり、
　表示部と、
　ユーザからの指示を受付けるタッチパネルと、
　前記表示装置と前記他の携帯端末のそれぞれとデータの送受信を行う送受信部と、
　保存部と、
　制御部と、
を有し、
　前記制御部は、前記タッチパネルへの線画入力に基づいて描画用線種データまたは消去用線種データを生成して前記送受信部が前記表示装置に送信するように制御し、該描画用線種データは図形を描画するためのデータであり、該消去用線種データは図形を消去するためのデータであり、該消去用線種データは前記表示装置において、前記表示装置が他の携帯端末から先に受信した描画用線種データに基づいて生成された図形の消去に用いられるデータであり、
　前記制御部は、前記送受信部を介して、描画用線種データまたは消去用線種データを前記表示装置から受信した場合に、受信した前記描画用線種データまたは前記消去用線種データに基づいて描画または消去を行って生成した表示画像を前記表示部に表示する、
　携帯端末。」
（相違点１）
　上記「制御部」が、本願発明１では、「前記携帯端末が、前記会議記録システムが対象とする会議に最初から参加している携帯端末の場合には、前記送受信部を介して前記表示装置から受信した描画用線種データまたは消去用線種データを前記会議の最初から逐次前記保存部に保存することにより、一連の前記描画用線種データおよび前記消去用線種データを前記会議の最初から時系列および前記会議の最初からの時間軸に対応付けられた時刻が把握できる形式で前記保存部に保存するように制御し」、さらに「前記携帯端末が、前記会議記録システムが対象とする会議の途中から参加した携帯端末の場合には、前記携帯端末が前記会議に参加する時点より前の時点の描画用線種データまたは消去用線種データを、前記会議の最初からの時系列および前記会議の最初からの時間軸に対応付けられた時刻が把握できる形式で、前記送受信部を介して前記表示装置から取得して前記保存部に保存し、その後に前記送受信部を介して前記表示装置から受信した描画用線種データまたは消去用線種データを逐次前記保存部に保存することにより、一連の前記描画用線種データおよび前記消去用線種データを前記会議の最初から時系列および前記会議の最初からの時間軸に対応付けられた時刻が把握できる形式で前記保存部に保存するように制御」するのに対し、引用発明では「ＣＰＵ５５」は、そのような制御を行わない点。
（相違点２）
　上記「制御部」が、本願発明１では、「前記表示部に表示する表示画像を前記会議の最初からの時間軸における過去の所望の時刻の表示状態へ変化させるためのユーザ指示をユーザが前記タッチパネルを介して入力することが可能となるように、前記表示部が前記会議の最初からの時間軸を示す表示を行い」、「前記タッチパネルが該時間軸上の任意の時刻を指定するユーザ指示を受け付けているときに、前記表示部に表示する表示画像を、過去の所望の時刻の表示状態へ変化させるためのユーザ指示であって、該所望の時刻を指定するユーザ指示が前記タッチパネルに入力された場合に、前記制御部は、前記ユーザ指示に応じて、前記保存部に保存された前記描画用線種データおよび前記消去用線種データを用いて、前記表示部に前記ユーザ指示の入力時点より過去であって前記会議の最初からの時系列のうち前記ユーザ指示により指定される時刻の時点の表示状態の表示画像を表示するように制御する」のに対し、引用発明では「ＣＰＵ５５」は、そのような表示は行わないし、過去の所望の時刻の表示状態の表示画像の表示も行わない点。
（２）相違点についての判断
　事案に鑑みて、上記相違点２について先に検討すると、相違点２に係る本願発明１の構成は、上記引用文献１及び引用文献２には記載されておらず、本願国際出願日前において周知技術であるともいえない。
　また、時々刻々映像が変化する映像の再生機器において、最初からの時間軸を示す表示を行い、ユーザが時間軸上の任意の時刻を指定することで、指定された時刻の時点の映像の表示を行うことは周知技術と認められるが、本願発明における会議記録システムでの描写入力と同一技術分野とは認められず、また、会議システムにおいては、会議の最初からの流れが把握できれば十分であり、正確な時刻の指定を行う必要が一般的な課題であるとは認められないことから、引用発明において、該周知の技術を適用する動機付けが存在しない。
　したがって、他の相違点について判断するまでもなく、本願発明１は、当業者であっても引用発明及び周知技術に基づいて容易に発明できたものであるとはいえない。
第７　原査定についての判断
　平成２９年４月１７日付けの補正により、補正後の請求項１は、「前記表示部に表示する表示画像を前記会議の最初からの時間軸における過去の所望の時刻の表示状態へ変化させるためのユーザ指示をユーザが前記タッチパネルを介して入力することが可能となるように、前記表示部が前記会議の最初からの時間軸を示す表示を行い、前記タッチパネルが該時間軸上の任意の時刻を指定するユーザ指示を受け付けているときに、前記表示部に表示する表示画像を、過去の所望の時刻の表示状態へ変化させるためのユーザ指示であって、該所望の時刻を指定するユーザ指示が前記タッチパネルに入力された場合に、前記制御部は、前記ユーザ指示に応じて、前記保存部に保存された前記描画用線種データおよび前記消去用線種データを用いて、前記表示部に前記ユーザ指示の入力時点より過去であって前記会議の最初からの時系列のうち前記ユーザ指示により指定される時刻の時点の表示状態の表示画像を表示するように制御する」という技術的事項を有するものとなった。当該技術的事項は、原査定における引用文献Ａ−Ｈには記載されておらず、本願国際出願日前における周知技術でもないので、本願発明１は、当業者であっても、原査定における引用文献Ａ−Ｈに基づいて容易に発明できたものではない。したがって、原査定を維持することはできない。
第８　むすび
　以上のとおり、原査定の理由によって、本願を拒絶することはできない。
　他に本願を拒絶すべき理由を発見しない。
　よって、結論のとおり審決する。